(57)【特許請求の範囲】
【請求項１】
所定の深さを有する閉鎖水域に発生するアオコの除去装置であって、水底付近または水面付近の水を吸い上げる吸引ポンプと、吸引した水を加圧状態として酸素または炭酸ガスを溶解する気体溶解タンクと、前記気体を溶解した水を水底付近または水面付近に排出する排出手段と、一年分の日の出、日の入りを記憶した記憶手段と、この記憶手段の記憶に基づいて、日の出付近から日の入り付近迄は水面付近の水を吸い込んで加圧状態で炭酸ガスを溶解してその水を水面付近に排出し、日の入り付近から日の出付近迄は水底の水を吸い込み加圧状態で酸素ガスを溶解してその水を水底付近に排出する制御手段を備えたことを特徴とするアオコの除去装置。
【請求項２】
日の出付近から日の入り付近迄の時刻は水面付近の水を吸い込んで加圧状態で炭酸ガスを溶解してその水を水面付近に排出し、日の入り付近から日の出付近迄の時刻は水底の水を吸い込み加圧状態で酸素ガスを溶解してその水を水底付近に排出することを特徴とするアオコの除去方法。
【発明の詳細な説明】
【０００１】
【発明の属する技術分野】
本発明は湖沼、池等の閉鎖水域等に発生するアオコの浄化装置及び浄化方法に関する。
【０００２】
【従来の技術】
湖沼、池、河口堰等の閉鎖水域では、水の滞留や大量に流入するリンや窒素が原因となって富栄養化が起こり、アオコ等の植物プランクトンが異常繁殖して水質の汚濁が進行する。
【０００３】
従来、アオコ等の植物プランクトンが異常繁殖した湖沼、池等の水は、凝集ろ過手段によって集積除去したり、硫酸銅や塩素等の殺藻剤を使って植物プランクトンを死滅させたり、あるいは紫外線照射によって植物プランクトンの増殖機能を失活させたりする浄化方法が提案され、実施されている。
【０００４】
その他の従来技術の例（原理図）を図２に示す。図２において、２０はポンプ船と称され、植物プランクトン及び溶存酸素（ＤＯと略記）の豊富な表層水をポンプ２１で吸込み、送水管２２にて無光層（図中Ｂの領域）まで送り吐出口２３から放出させる。
【０００５】
無光層Ｂと有光層（図中Ａの領域）の境界は温度躍層２８と称され水の密度差が存在する。このため、無光層Ｂへ送り込まれた表層水は無光層Ｂの密度が大きい水と混合して、多少無光層Ｂに留まり、プランクトン増殖を抑制する作用がある。
【０００６】
【発明が解決しようとする課題】
従来技術の、凝集ろ過法によって植物プランクトンを集積除去する方法では、湖沼、池等の膨大な水域の全域に同時的な浄化を期待することは難しく極めて効率が悪いという問題がある。
【０００７】
また、殺藻剤を使った浄化方法では、その毒性による自然生態系の破壊や二次的水質汚濁問題に波及し、根本的な環境浄化対策とはならない。また、紫外線照射による方法の場合は、設備費とそれの保守管理に労力を要し、経済性の面で問題が多い。
【０００８】
また、図２に示したようにポンプ船を用いた水質浄化装置の場合、植物プランクトンは有光層の２〜３ｍ水深の間に生存しているため、固定されたポンプ取水口１６では効率が悪い。また、この水質浄化装置による場合は流れが一方向であり、単に表層水を無光層へ送り込むのみで効果が少い。
【０００９】
本発明は上述のような課題を解決するためになされたもので、アオコ等の植物プランクトンを含む湖沼、池等の生態環境を破壊することなく、効率的に浄化できる湖沼、池等の水の浄化方法及び浄化装置を提供することを目的としている。
【００１０】
【課題を解決するための手段】
本発明は、上記課題を解決するためになされたもので、請求項１においては、水底付近または水面付近の水を吸い上げる吸引ポンプと、吸引した水を加圧状態として酸素または炭酸ガスを溶解する気体溶解タンクと、前記気体を溶解した水を水底付近または水面付近に排出する排出手段と、一年分の日の出、日の入りを記憶した記憶手段と、この記憶手段の記憶に基づいて、日の出付近から日の入り付近迄は水面付近の水を吸い込んで加圧状態で炭酸ガスを溶解してその水を水面付近に排出し、日の入り付近から日の出付近迄は水底の水を吸い込み加圧状態で酸素ガスを溶解してその水を水底付近に排出する制御手段を備えたことを特徴としている。
【００１２】
請求項２においては、日の出付近から日の入り付近迄の時刻は水面付近の水を吸い込んで加圧状態で炭酸ガスを溶解してその水を水面付近に排出し、日の入り付近から日の出付近迄の時刻は水底の水を吸い込み加圧状態で酸素ガスを溶解してその水を水底付近に排出することを特徴としている。
【００１３】
本発明によれば、アオコを含む水が加圧容器を通過するときに、細胞が破壊され、また、酸素供給により好気層をつくりリン・窒素の溶出を抑制する。更に、炭酸ガスの供給によりｐＨを低下させてアオコが生息しにくい生態系とすることができる。
【００１４】
【発明の実施の形態】
はじめにアオコの発生原因について考察する。
アオコは
▲１▼  富栄養化が進行し水中に溶出する全窒素量、全リン量が大きい。
▲２▼  透明度が低い。
▲３▼  ｐＨが高い。
▲４▼  水温が２０℃以上。
等の条件で他の藻類に優先して発生する。
【００１５】
アオコの性質としては
▲１▼  光が当る環境下（昼間）で水面に浮いてくる。
▲２▼  ガス胞と呼ばれる薄膜状の核があり、この核が浮き袋の役割を担っている。
▲３▼  このガス胞はおよそ２kgｆ／ｃｍ２程度の圧力でつぶれる。
▲４▼  アオコが発生すると炭酸ガスが減少してｐＨが上昇する。ｐＨ９以上でアオコが優先しｐＨ７〜８の範囲では緑藻類が優先する。
▲５▼  リン・窒素の量を減少させるとアオコが発生し難くなる。
▲６▼  １０℃以下の水温では増殖しないが２０℃以上で大量に発生する。
【００１６】
本発明は上述のアオコの発生原因についての考察に基づいている。
図１は本発明の請求項１乃至３に関する実施形態の一例を示す概略構成図である。図において、気体溶解タンク１の上方にはポンプ３を介して浄化対象の水域から水が吸引される。ここで浄化対象の水域（ダム，湖沼等）は所定の深さを有し、表面にはアオコが発生し水底付近は貧酸素状態となっているものとする。
【００１７】
気体溶解タンク１には酸素発生装置（酸素ボンベ）４からバルブ４ａを介して酸素ガスが、ＣＯ２ボンベ５からバルブ５ａを介して炭酸ガスが供給されるようになっており、時間帯により何れか一方のガスが供給される。
【００１８】
ホース２には少なくとも２箇所に吸引箇所が設けられ、図では水面付近の浅い領域にバルブ６が設けられ、底部付近の深い領域にはバルブ７設けられており、これらのバルブの開閉も時間帯により何れか一方のバルブが開とされる。
【００１９】
気体溶解タンク１の下方にはバルブ８を介してホース９が接続されており、このホース９には少なくとも２箇所に吐出バルブ１０，１１が設けられている。図では水面付近の浅い領域にバルブ１０が設けられ、底部付近の深い領域にはバルブ１１が設けられており、これらのバルブの開閉も時間帯により何れか一方のバルブが開とされる。
【００２０】
気体溶解タンク１に吸引された水は酸素ガス又は炭酸ガスと接触し、ヘンリーの法則に従ってこれらのガスを溶解する。なお、図では省略するが気液溶解タンク１にはタンク内に吸引された水を所定の位置に制御するための水位制御手段や、供給される酸素ガス又は炭酸ガスの圧力を制御する手段、一年分の日の出、日の入りを記憶したメモリ手段、各バルブの開閉を制御するバルブ開閉制御手段などが取付けられている。
【００２１】
上記の構成において、アオコは昼間は光を受けて表面に浮上している。従って制御手段（図示省略）は日の出から日の入りまではバルブ６および１０を開として水面付近の水を吸い上げる。吸い上げられた水はタンク１内で２kgｆ／ｃｍ２以上の圧力を印加されてアオコに対して圧力破壊が行なわれる。同時に炭酸ガスを高濃度に溶解させて水面付近に排出する。
【００２２】
その結果、排出される水は吸引時より炭酸ガス濃度が増大しているのでｐＨが酸性側に変化し、藍藻類から珪藻類そして緑藻類が優占する環境へ変化する。
次に、夜間は藻類による光合成が停止し、アオコの呼吸による酸素消費が進む。従って水中の溶存酸素濃度が低下する。特に、底層においてその傾向が顕著となる
【００２３】
従って制御手段は日の入りから日の出まではバルブ７および１１を開として水底付近の水をアオコと共にタンクに吸い込む。そしてタンク内で２kgｆ／ｃｍ２以上の圧力をかけてアオコの圧力破壊を行なう。同時に酸素ガスを高濃度に溶解させて水底付近に排出する。
【００２４】
本発明の以上の説明は、説明および例示を目的として特定の好適な実施例を示したに過ぎない。したがって本発明はその本質から逸脱せずに多くの変更、変形をなし得ることは当業者に明らかである。例えばバルブ６，７，１０，１１の開閉は夏と冬若しくは天候の具合により必ずしも日の出日の入りに規制されず実状に合わせたものとすることができる。
【００２５】
また、実施例では１本のホースに表面付近と底面付近の水を吸引（排出）するバルブを設けたが、ポンプ，ホース，バルブはそれぞれの水域を吸引（排出）できるように２系列としても良い。特許請求の範囲の欄の記載により定義される本発明の範囲は、その範囲内の変更、変形を包含するものとする。
【００２６】
【発明の効果】
本発明では、時間帯によりアオコを含む水を吸入する水位や溶解させるガスの種類を変え、また、アオコのガス胞を破壊する圧力を加えるようにしたのでアオコの増殖能力を効果的に抑制することができる。
.
【図面の簡単な説明】
【図１】本発明の実施形態の一例を示す図である。
【図２】従来例を示す図である。
【符号の説明】
１    気液溶解タンク
２    ホース
３    ポンプ
４    酸素発生装置
４ａ，５ａ，６，７，１０，１１  バルブ
５    炭酸ガス（ＣＯ２）ボンベ
【図１】
0004228264.tif 000002
【図２】
0004228264.tif 000003